(57)【要約】【課題】電気機器などに用いられ、電線を接続する端子を端子台に取付固定する端子取付構造に関し、端子を端子台に容易に取付できると共に、端子を端子台に確実に保持させることができる端子取付構造を得る。【解決手段】端子台１０に端子２０，３０の裏面２１，３１の一方端２２，３２を係止する端子受部１１と、端子２０，３０の裏面２１，３１の他方端２３，３３を係止する端子係合部１２と、端子２０，３０の一方端２２，３２と他方端２３，３３との間の表面２４，３４を係止する端子表面係止部１３とを具備させ、端子２０，３０の表面２４，３４及び裏面２１，３１係止させるようにした。【選択図】        図２
2004335322.tif 000002
【特許請求の範囲】
【請求項１】
絶縁材料で形成された端子台に導電材料で形成された端子を取付ける端子取付構造において、
前記端子台は前記端子の裏面の一方端を係止する端子受部と、
前記端子の裏面の他方端を係止する端子係合部と、
前記端子の一方端と他方端との間の表面を係止する端子表面係止部とを備えたことを特徴とする端子取付構造。
【請求項２】
端子台に位置決め凸部を設け、端子に前記位置決め凸部に嵌合する位置決め凹部を配設したことを特徴とする請求項１記載の端子取付構造。
【請求項３】
端子の一方端にバーリング部を配設し、
端子受部は前記端子を取付けるときに前記バーリング部が抵触しないように切り欠いたバーリング逃し部と、前記端子を取付けるときにこの端子の裏面を摺動させる面取部とを備えた特徴とする請求項１または請求項２に記載の端子取付構造。
【請求項４】
端子係合部は、
端子を取付けるときに端子の他方端を摺動させる端子摺動面と、前記他方端を係止する他方端係止部とを備えたことを特徴とする請求項１から請求項３のいずれか１項に記載の端子取付構造。
【請求項５】
端子を略Ｌ字形状にしたことを特徴とする請求項１から請求項４のいずれか１項に記載の端子取付構造。
【請求項６】
端子を取付けるときに端子係合部に前記端子の他方端が抵触しないように切り欠いた端子切欠き部を配設したことを特徴とする請求項５記載の端子取付構造。
【発明の詳細な説明】
【０００１】
【発明の属する技術分野】
この発明は、例えば電気機器などに用いられ、電線を接続する端子を端子台に取付固定する端子取付構造に関するものである。
【０００２】
【従来の技術】
従来の端子取付構造において、絶縁材料で形成される端子台に設けられた貫通孔に導電材料で形成される端子を嵌挿すると、端子に形成された突起が貫通孔の内壁に摺接して端子の抜け止めが行なわれると共に、端子の肩部が端子台に形成された突部の当接面に当接して位置決めが行なわれるように構成されている（例えば、特許文献１参照）。
【０００３】
【特許文献１】
実公昭６２−３７３３４号（第３図）
【０００４】
【発明が解決しようとする課題】
従来の端子取付構造は以上のように構成されているので、貫通孔の寸法に対して突起寸法が大きすぎる場合は端子を端子台に嵌挿する荷重が大きくなり作業性が悪く、また、貫通孔の寸法に対する突起寸法の出代が小さい場合は嵌挿した後の強度が低く、確実に保持させることができないという課題があった。
【０００５】
この発明は、上述のような課題を解決するためになされたもので、端子を端子台に容易に取付けできると共に、端子を端子台に確実に保持させることができる端子取付構造を得ることを目的としている。
【０００６】
【課題を解決するための手段】
この発明に係る端子取付構造においては、絶縁材料で形成された端子台に導電材料で形成された端子を取付ける端子取付構造において、端子台は端子の裏面の一方端を係止する端子受部と、端子の裏面の他方端を係止する端子係合部と、端子の一方端と他方端との間の表面を係止する端子表面係止部とを具備したものである。
【０００７】
【発明の実施の形態】
実施の形態１．
図１は、この発明の実施の形態１における端子取付構造を示す平面図、図２は図１のＡ−Ａ断面図、図３は図１のＢ視正面図、図４はこの発明の実施の形態１における端子取付構造の端子取付時の動作を説明する図である。
【０００８】
図１から図３において、例えば、プラスチック成型品などの絶縁材料で形成された端子台１０には、例えば、銅板などの導電材料で形成された端子２０の裏面２１の一方端２２を係止する端子受部１１と、端子２０の裏面２１の他方端２３係止する端子係合部１２と、端子２０の一方端２２と他方端２３との間の表面２４（裏面２１の反対面）を係止する端子表面係止部１３とが配設され、端子２０を端子台１０に保持する構成としている。
【０００９】
端子台１０には位置決め凸部１４が設けられ、端子２０には位置決め凸部１４に嵌合する位置決め凹部２５が配設されている。
端子２０の一方端２２にはタップ２６およびこのタップ２６のねじ山を多くするために凸設させたバーリング部２７が形成されており、外部から電力を供給するための電線（図示しない）を端子２０との間に挟持させた状態でタップ２６にねじ（図示しない）またはボルト（図示しない）をねじ込んで電線を固定する。
端子の他方端２３の表面２４には電線（図示しない）から端子２０を介して供給された電力を電気機器（図示しない）が有する電気部品（図示しない）に供給するリード線１が半田付け、またはロー付けにより固着されている。
【００１０】
また、端子受部１１には、端子２０を取付けるときに端子２０の一方端２２に配設されたバーリング部２７が抵触しないように切り欠いたバーリング逃し部１１ａと、端子２０を取付けるときにこの端子２０の裏面２１を滑らかに摺動させるための面取部１１ｂが配設されている。
さらに、端子係合部１２には端子２０を取付けるときに端子２０の他方端２３の側部２３ａ（図３に示す）を滑らかに摺動させるための端子摺動面１２ａと、端子２０の他方端２３を係止するための他方端係止部１２ｂが配設されている。
【００１１】
次に、この発明の実施の形態１における端子取付構造の端子取付け時の動作について図４を用いて説明する。
（１）端子２０の一方端２２の裏面２１を端子受部１１の面取部１１ｂに当接させながら、端子表面係止部１３と端子受部１１の間に嵌挿する。
（２）端子２０を矢印Ｃ方向に移動させる。この時、端子受部１１には略Ｕ字状のバーリング逃し部１１ａが配設されているので、端子２０は端子２０の裏面２１から凸設したバーリング部２７が端子受部１１に抵触することなく嵌挿される。
【００１２】
（３）所定の位置まで嵌挿したときに端子２０を矢印Ｄ方向に回動させる。
（４）端子２０の一方端２２の位置決め凹部２５が端子台１０の位置決め凸部１４に嵌挿される。
（５）（４）とほぼ同時に、端子２０の他方端２３の側部２３ａ（図３に示す）が端子摺動面１２ａを滑らかに摺動した後、他方端２３が他方端係止部１２ｂ係止される。
【００１３】
以上のようにして、端子２０は一方端２２が端子受部１１に、また、他方端２３が端子係合部１２に、さらに、表面２４が端子表面係止部１３に係止された状態で端子台１０に確実に保持される。
【００１４】
実施の形態２．
図５は、この発明の実施の形態２における端子取付構造を示す平面図、図６は図５のＥ−Ｅ断面図、図７は図５のＦ視正面図、図８はこの発明の実施の形態２における端子取付構造の端子取付時の動作を説明する図である。
【００１５】
図において、絶縁材料で形成された端子台１０には導電材料で形成された略Ｌ字形状の端子３０の裏面３１の一方端３２を係止する端子受部１１と、端子３０の裏面３１の他方端３３係止する端子係合部１２と、端子３０の一方端３２と他方端３３との間の表面３４（裏面３１の反対面）を係止する端子表面係止部１３とが配設され、端子３０を端子台１０に保持する構成としている。
【００１６】
端子台１０の構成については上述した実施の形態１と同様である。
また、端子３０は端子３０を取付けるときに端子係合部１２に端子３０の他方端３３が抵触しないように切り欠いた端子切欠き部３８が配設されている以外は上述した実施の形態１と同様である。
【００１７】
次に、この発明の実施の形態２における端子取付構造の端子取付時の動作について図８を用いて説明する。
（１）端子３０の一方端３２の裏面３１を端子受部１１の面取部１１ｂに当接させながら、端子表面係止部１３と端子受部１１の間に嵌挿する。
【００１８】
（２）端子３０を矢印Ｇ方向に移動させる。この時、端子受部１１には略Ｕ字状のバーリング逃し部１１ａが配設されているので、端子３０は端子３０の裏面３１から凸設したバーリング部３７が端子受部１１に抵触することなく嵌挿される。
同時に、端子３０の他方端３３には端子切欠き部３８が配設されているので、他方端３３が端子係合部１２に抵触することなく嵌挿される。
【００１９】
（３）所定の位置まで嵌挿したときに端子３０を矢印Ｈ方向に回動させる。
（４）端子３０の一方端３２の位置決め凹部３５が端子台１０の位置決め凸部１４に嵌挿される。
（５）（４）とほぼ同時に、端子３０の他方端３３の側部３３ａ（図７に示す）が端子摺動面１２ａを滑らかに摺動した後、他方端３３が他方端係止部１２ｂ係止される。
【００２０】
以上のようにして、端子３０は一方端３２が端子受部１１に、また、他方端３３が端子係合部１２に、さらに、表面３４が端子表面係止部１３に係止された状態で端子台１０に確実に保持される。
【００２１】
【発明の効果】
この発明は以上説明したように、絶縁材料で形成された端子台に導電材料で形成された端子を取付ける端子取付構造において、端子台は端子の裏面の一方端を係止する端子受部と、端子の裏面の他方端を係止する端子係合部と、端子の一方端と他方端との間の表面を係止する端子表面係止部とを具備させたので、端子を端子台に確実に保持させることができる。
【図面の簡単な説明】
【図１】この発明の実施の形態１における端子取付構造を示す平面図である。
【図２】図１のＡ−Ａ断面図である。
【図３】図１のＢ視正面図である。
【図４】この発明の実施の形態１における端子取付構造の端子取付時の動作を説明する図である。
【図５】この発明の実施の形態２における端子取付構造を示す平面図である。
【図６】図５のＥ−Ｅ断面図である。
【図７】図５のＦ視正面図である。
【図８】この発明の実施の形態２における端子取付構造の端子取付時の動作を説明する図である。
【符号の説明】
１０  端子台、１１ａ  バーリング逃し部、１１ｂ  面取部、
１２  端子係合部、１２ａ  端子摺動面、１２ｂ  他方端係止部、
１３  端子表面係止部、１４  位置決め凸部、２０，３０  端子、
２１，３１  裏面、２２，３２  一方端、２３，３３  他方端、
２４，３４  表面、２５，３５  位置決め凹部。
【図１】
2004335322.tif 000003
【図２】
2004335322.tif 000004
【図３】
2004335322.tif 000005
【図４】
2004335322.tif 000006
【図５】
2004335322.tif 000007
【図６】
2004335322.tif 000008
【図７】
2004335322.tif 000009
【図８】
2004335322.tif 000010